(57)【要約】【課題】複数のオペレータによる近接操作卓及び遠隔操作卓の同時操作を可能とするＸ線画像診断装置を提供する。【解決手段】本発明のＸ線画像診断装置は、透視撮影台1、遠隔操作卓2、及び近接操作卓3を有し、遠隔操作卓2（近接操作卓3）は、モニタ20（30）と入力装置21（31）とを備える。本発明の装置は、スイッチ（第一信号選択手段S1）とスイッチ（第二信号選択手段）S2を備え、スイッチS1から出力された信号がモニタ20の第一信号入力部に入力され、スイッチS2から出力された信号がモニタ30の第二信号入力部に入力される。スイッチS1,S2はそれぞれ、モニタ20,30に入力される信号（映像信号／GUI信号）を任意に選択することができる。【選択図】図２
2008307130.tif 000002
【特許請求の範囲】
【請求項１】
被検者のＸ線画像を得る透視撮影台と、前記透視撮影台を遠隔操作するための遠隔操作卓と、前記透視撮影台の近傍に配置され、この透視撮影台を近接操作するための近接操作卓とを有するＸ線画像診断装置であって、
前記遠隔操作卓と近接操作卓は、それぞれモニタを備え、
前記遠隔操作卓のモニタには、前記透視撮影台を操作して得られたＸ線画像を表示するための映像信号とGUIの操作画面を表示するためのGUI信号とが入力される第一信号入力部を備えており、
前記近接操作卓の操作状態に拘らず、前記遠隔操作卓のモニタに入力される前記映像信号とGUI信号を任意に選択可能とする第一信号選択手段を有することを特徴とするＸ線画像診断装置。
【請求項２】
前記近接操作卓のモニタに、Ｘ線画像を表示するための映像信号とGUI信号とが入力される第二信号入力部を備えており、
更に、前記近接操作卓のモニタに入力される前記映像信号とGUI信号を任意に選択可能とする第二信号選択手段を有することを特徴とする請求項１に記載のＸ線画像診断装置。
【請求項３】
前記Ｘ線画像とGUIの操作画面とを合成処理し２画面をモニタに表示する信号が前記第一信号入力部又は前記第二信号入力部に入力されることを特徴とする請求項１又は２に記載のＸ線画像診断装置。
【発明の詳細な説明】
【技術分野】
【０００１】
本発明は、遠隔操作卓と近接操作卓とを有するＸ線画像診断装置に関する。特に、複数のオペレータによる近接操作卓及び遠隔操作卓の同時操作を可能とするＸ線画像診断装置に関する。
【背景技術】
【０００２】
近年、医療現場において、Ｘ線画像を用いて診断する方法が多く利用されるようになり、Ｘ線画像診断装置が広く普及している。最近では、IVR手技が確立され、医師がＸ線画像を確認しながら検査や手術を含む治療を行えるように、近接操作卓を設けたＸ線画像診断装置が開発されている（特許文献１参照）。
【０００３】
例えば、特許文献１に記載のＸ線撮影装置は、被検者を載せる天板と、天井から吊り下げられ、この天板の上方に配置されるＸ線発生装置と、この天板の下部に配置されるＸ線検出装置とを有する。そして、この装置は、撮影室とは別の操作室から窓越しに操作するための遠隔操作卓と、被検者のそばで操作するための近接操作卓とを有し、各操作卓には、一般撮影や透視撮影したＸ線画像を表示するためのモニタを備えている（特許文献１の図１８参照）。
【０００４】
さらに、最近では、Ｘ線画像診断装置の他、CT装置やMRI装置などの各種モダリティを院内に構築したネットワークに接続し、大量の画像をネットワーク上で効率的に保管することが行われている。
【０００５】
ところで、Ｘ線画像診断装置により得られたＸ線画像は、被検者情報や検査情報などの管理情報の入力、DVDなどの外部メディアへの保存、印刷といった管理編集（以下、単に編集と呼ぶ）することがある。このような編集作業は、通常、遠隔操作卓側にて行われ、例えば、遠隔操作卓のモニタにGUIによる操作画面を表示し、GUIを操作して行うことが考えられている。
【０００６】
【特許文献１】特開平８−２７５９３６号公報
【発明の開示】
【発明が解決しようとする課題】
【０００７】
しかし、従来のＸ線画像診断装置は、一人のオペレータが状況により場所を移動して近接操作卓或いは遠隔操作卓を操作することを前提としており、近接操作卓と遠隔操作卓とが連動している。そのため、画像を編集するときは、近接操作卓での透視・撮影が終了するまで待つ必要がある。
【０００８】
従来の装置は、例えば近接操作卓を操作して透視・撮影を行っている場合、近接操作卓のモニタだけでなく、遠隔操作卓のモニタにも透視画像（動画）・撮影画像（静止画）が表示される。つまり、あるオペレータが近接操作卓を操作して透視・撮影しているときは、別のオペレータが遠隔操作卓を操作して画像を編集しようとしても、遠隔操作卓のモニタには操作画面が表示されないので、画像を編集することができない。逆に、遠隔操作卓を操作して画像を編集しているときは、近接操作卓を操作して透視・撮影することができない。
【０００９】
したがって、多数の被検者に対して検査を実施し、大量の画像を取得した場合などは、検査終了後に長時間の編集作業を必要とし、オペレータに過度の負担を強いる結果となる。
【００１０】
本発明は、上記の事情に鑑みてなされたもので、その目的は、複数のオペレータによる近接操作卓及び遠隔操作卓の同時操作を可能とするＸ線画像診断装置を提供することにある。
【課題を解決するための手段】
【００１１】
本発明のＸ線画像診断装置は、被検者のＸ線画像を得る透視撮影台と、前記透視撮影台を遠隔操作するための遠隔操作卓と、前記透視撮影台の近傍に配置され、この透視撮影台を近接操作するための近接操作卓とを有する。前記遠隔操作卓と近接操作卓は、それぞれモニタを備え、前記遠隔操作卓のモニタには、前記透視撮影台を操作して得られたＸ線画像を表示するための映像信号とGUIの操作画面を表示するためのGUI信号とが入力される第一信号入力部を備える。そして、本発明の装置は、前記近接操作卓の操作状態に拘らず、前記遠隔操作卓のモニタに入力される前記映像信号とGUI信号を任意に選択可能とする第一信号選択手段を有することを特徴とする。
【００１２】
ここで、遠隔操作卓とは、通常の使用状態において、透視撮影台を配置している撮影室の外から透視撮影台を遠隔操作するための操作卓である。近接操作卓とは、通常の使用状態において、被検者のそばで透視撮影台を操作するための操作卓であり、透視撮影台の近傍に配置される。近接操作卓は、透視撮影台に取り付けたり、透視撮影台とは別個に設けることが可能であり、例えば壁掛け式やスタンド式といった様々な形態を採り得る。遠隔操作卓及び近接操作卓に備える各モニタはそれぞれ、各操作卓と一体に設けてもよいし、各操作卓と別個に設けてもよい。例えば、遠隔操作卓のモニタは遠隔操作卓と一体に設け、近接操作卓のモニタは近接操作卓と別個に設けてもよい。
【００１３】
また、上記の映像信号とGUI信号は、いずれもモニタに画面を表示するための信号である。映像信号とは、一般撮影や透視撮影した撮影画像や透視画像といったＸ線画像を表示するための信号であり、GUI信号とは、GUIの操作画面を表示するための信号である。
【００１４】
本発明の構成によれば、第一信号選択手段を有することにより、近接操作卓の操作状態に拘らず、遠隔操作卓のモニタにGUIの操作画面を表示させることができ、近接操作卓と遠隔操作卓の同時操作が可能である。例えば、画像を編集するための操作をGUIの操作画面で提供する、即ち画像を編集するための操作をGUIから行えるようにすることで、近接操作卓側で透視・撮影中に、第一信号選択手段により第一信号入力部に入力される信号を切り替えて、遠隔操作卓側で画像を編集することができる。したがって、複数のオペレータが、近接操作卓及び遠隔操作卓を同時操作することにより、撮影作業と編集作業を並行して行うことで、作業時間の短縮や作業効率の向上といった効果が期待できる。
【００１５】
本発明のより好ましい形態は、前記近接操作卓のモニタに、Ｘ線画像を表示するための映像信号とGUI信号とが入力される第二信号入力部を備えており、更に、前記近接操作卓のモニタに入力される前記映像信号とGUI信号を任意に選択可能とする第二信号選択手段を有する構成である。
【００１６】
この構成によれば、第二信号選択手段を有することにより、遠隔操作卓のモニタに表示されたGUIの操作画面を近接操作卓のモニタにも表示させることができる。したがって、複数のオペレータが、連携して近接操作卓及び遠隔操作卓を同時操作することにより、作業効率の向上といった効果が期待できる。例えば、近接操作卓側で透視・撮影中に、遠隔操作卓側で画像を編集してリファレンス画像を作成し、第二信号選択手段により第二信号入力部に入力される信号を切り替えて、このリファレンス画像を近接操作卓のモニタに表示させることができる。
【００１７】
ここで、リファレンス画像とは、検査又は治療中に参照することで検査や治療に役立つ画像のことであり、本発明の装置により得られたＸ線画像だけでなく、他のモダリティにより得られた各種画像も含まれる。また、リファレンス画像は、検査又は治療中に撮影した画像に限られず、過去に撮影した画像であってもよい。
【００１８】
本発明のより好ましい形態は、前記Ｘ線画像とGUIの操作画面とを合成処理し２画面をモニタに表示する信号が前記第一信号入力部又は前記第二信号入力部に入力される構成である。
【００１９】
この構成によれば、Ｘ線画像とGUIの操作画面とを合成処理し２画面をモニタに表示することが可能である。例えばＸ線画像とリファレンス画像との対比が容易である。
【発明の効果】
【００２０】
本発明のＸ線画像診断装置は、近接操作卓の操作状態に拘らず、近接操作卓と遠隔操作卓の同時操作が可能である。したがって、近接操作卓を操作して透視・撮影をしている最中に、遠隔操作卓を操作して画像の編集をすることが可能であり、近接操作卓側と遠隔操作卓側の各オペレータが異なる作業を並行して行うことで、作業時間の短縮や作業効率の向上に寄与することができる。
【発明を実施するための最良の形態】
【００２１】
本発明の実施の形態について図を用いて説明する。図１は本発明の実施に用いたＸ線画像診断装置の構成を示す図であり、図２はこの装置の機能ブロック図である。
【００２２】
［Ｘ線画像診断装置の構成］
本発明の実施に用いたＸ線画像診断装置は、Ｘ線透視・撮影が可能であり、透視撮影台1、遠隔操作卓2、及び近接操作卓3を有する。
【００２３】
透視撮影台1は、被検者を載せる天板10tを支持する架台10とＸ線発生装置11とＸ線検出装置12とを備え、Ｘ線発生装置11からＸ線を照射し、被検者を透過したＸ線をＸ線検出装置12により検出することで、Ｘ線画像を取得することができる。透視撮影台１には、上記の各装置を制御する制御ユニットCUが内蔵されている（図２）。図２中の矢印は信号（データ）の入出力を表しており、この制御ユニットCUは、遠隔操作卓2及び近接操作卓3に備える入力装置21,31や、架台10、Ｘ線発生装置11及びＸ線検出装置12を制御する各制御部C10,C11,C12と接続されている。
【００２４】
架台10は、起倒、昇降することが可能であり、検査に合わせて天板10tの傾きや高さを設定することができる。また、天板10tは、上下（長手）方向及び左右（横手）方向にスライドすることが可能である。架台10の起倒動、天板10tの上下動、左右動といった動作は、架台制御部C10からの信号により実行される。
【００２５】
Ｘ線発生装置11は、支柱に支持されており、Ｘ線高電圧装置4から所定の電圧が印加されることでＸ線を発生するＸ線管を有する。このＸ線発生装置11の照射口には、Ｘ線可動絞り装置が取り付けられている。また、Ｘ線発生装置11は、上下動、左右動、前後動（天板からの距離方向の移動）が可能である。Ｘ線の照射、Ｘ線可動絞りの開閉、及びＸ線発生装置11の移動といった動作は、Ｘ線発生装置制御部C11からの信号により実行される。Ｘ線高電圧装置4は、遠隔操作卓2（入力装置21）又は近接操作卓3（入力装置31）の透視・撮影スイッチが押された際にＸ線管に対して設定された管電圧や管電流を供給する。
【００２６】
Ｘ線検出装置12は、架台10に収納されており、被検者を透過したＸ線の強度分布を画像データに変換するものである。ここでは、Ｘ線検出装置としてFPD（Flat
panel detector）を用いているが、その他に、I.I.（X-ray image intensifier）とCCDカメラを組み合わせたものや、IP（Imaging
plate）を用いることが考えられる。IPを利用する場合、複数のIPを用いて連続撮影が行えるように、フィルムチェンジャを使用することが好ましい。また、Ｘ線検出装置12は、上下動、左右動が可能であり、Ｘ線検出装置12の移動といった動作は、Ｘ線検出装置制御部C12からの信号により実行される。
【００２７】
遠隔操作卓2（近接操作卓3）は、モニタ20（30）と入力装置21（31）とを備える。入力装置21（31）としては、スイッチ、キーボード、マウス、ジョイスティック、タッチパネルなどの各種デバイスが挙げられる。入力装置21（31）から操作コマンドが入力されると、その信号が制御ユニットCUを介して操作対象の制御部に送られ、コマンドに対応する動作が実行される。つまり、このＸ線画像診断装置によれば、透視・撮影、架台10の起倒、天板10tの移動、Ｘ線発生装置11及びＸ線検出装置12の移動など一連の動作を遠隔操作卓2（近接操作卓3）で操作することができる。
【００２８】
さらに、透視撮影台1には、モニタ20,30に入力される信号を処理する表示処理部DPが内蔵されている。この表示処理部DPには、透視撮影台1を操作して得られたＸ線画像をモニタに表示するための映像信号（図２中の矢印V）とGUIの操作画面をモニタに表示するためのGUI信号（図２中の矢印G）が入力される。また、表示処理部DPは、スイッチ（第一信号選択手段）S1とスイッチ（第二信号選択手段）S2を備え、スイッチS1から出力された信号がモニタ20の第一信号入力部に入力され、スイッチS2から出力された信号がモニタ30の第二信号入力部に入力される。ここでは、スイッチS1,S2により映像信号又はGUI信号の一方がモニタ20,30に入力されるようになっている。スイッチS1,S2はそれぞれ、入力装置21,31の表示切替スイッチにより切り替えることが可能であり、モニタ20,30に入力される信号（映像信号／GUI信号）を任意に選択することができる。また、通常の使用状態（表示切替スイッチがOFFの状態）では、透視・撮影中はスイッチS1,S2から映像信号がモニタ20,30に入力されるようになっている。
【００２９】
その他、このＸ線画像診断装置は、図示しない記憶装置や画像処理装置を備えており、Ｘ線画像の保存やＸ線画像に対するキズ補正やオフセット補正といった画像処理を行うことができる。また、この装置は、ネットワークに接続されており、ネットワーク上のサーバに画像を保管（送信）したり、サーバから画像をダウンロード（受信）することができる。さらに、このネットワークには、他のモダリティ（例えば、CT装置やMRI装置）やレーザプリンタ、高精細モニタなどの各種装置が接続されている。
【００３０】
上記本発明のＸ線画像診断装置を用いた実施例を説明する。ここでは、画像を編集するための操作をGUIの操作画面で提供することとした。なお、ここで言う画像の編集とは、管理情報の入力、画像処理、DVDなどの外部メディアへの保存、画像の送受信、レーザプリンタによる印刷の他、高精細モニタへの表示など多岐に亘る。
【００３１】
（実施例1-1）
実施例1-1では、近接操作卓（以下、近卓と呼ぶ）側のオペレータが被検者を透視・撮影してＸ線画像を取得し、遠隔操作卓（以下、遠卓と呼ぶ）側のオペレータがこの取得したＸ線画像を編集する場合において、本発明の装置が作業時間の短縮に効果があることを説明する。ここでは、図３に示すように、複数の被検者A,B,Cに対して透視・撮影を行い、取得した各被検者のＸ線画像a,b,cについて画像の編集Ea,Eb,Ecをそれぞれ行うケースを例に説明する。なお、図３において、横軸（紙面右方向に延びる矢印）は時間軸を示している。
【００３２】
図３中の上段は実施例1-1である。実施例1-1では、近卓にて被検者Aの検査（透視・撮影）終了後、続けて被検者Bの検査を行い、被検者Bの検査終了後、続けて被検者Cの検査を行う。即ち、被検者A,B,Cの検査を連続的に実施する。各被検者A,B,Cの検査中に近卓にて撮影した画像a,b,cはその都度記憶装置に保存される。透視・撮影を行うときの近卓の操作状態を、図２を用いて説明すると、近卓側のオペレータが、近卓3を操作し、被検者を透視してモニタ30に表示された透視画像を見ながら位置決め確認した後、被検者を撮影してＸ線画像を取得している。
【００３３】
一方、遠卓では、被検者の検査（透視・撮影）終了後、近卓の操作状態に拘らず、この被検者の画像を編集する。この例では、次の被検者（例えばB）の検査中に、前の被検者（例えばA）の画像（例えばa）について画像の編集（例えばEa）を行う。画像の編集を行うときの遠卓の操作状態を、図２を用いて説明すると、遠卓側のオペレータが、遠卓2からスイッチS1を切り替え、モニタ20にGUIの操作画面を表示させ、このGUIを操作して画像を編集している。ここで、画像の編集を行うときは、複数の操作を実行してもよく、例えば外部メディアへの保存と送信と印刷を順次実行してもよい。また、例えば被検者Cの検査中において、画像bの編集Ebだけでなく、画像aの編集Eaをしてもよい。
【００３４】
次に、従来の装置を用いた従来例１,２を説明する。従来の装置は、近卓にて透視・撮影中は、遠卓のモニタにも透視画像などのＸ線画像が表示されるため、遠卓のモニタにはGUIの操作画面が表示されない。
【００３５】
図３中の中段は従来例１である。従来例１では、実施例1-1と同じように、被検者A,B,Cの検査を連続的に実施する。しかし、上記理由により、近卓にて被検者の検査をしているときは、遠卓では画像を編集することができない。そのため、被検者全員の検査終了後に、まとめて画像の編集を行っている。
【００３６】
図３中の下段は従来例２である。従来例２では、被検者Aの検査終了後、一度中断してから被検者Bの検査を行い、被検者Bの検査終了後、再度中断してから被検者Cの検査を行う。そして、検査を中断している間に検査を終了した被検者の画像について画像の編集を行っている。
【００３７】
実施例1-1によれば、近卓と遠卓の同時操作が可能であり、近卓側のオペレータと遠卓側のオペレータとが透視・撮影と画像の編集とを並行して行うことができる。そして、図３に示すように、従来例１,２と比較して作業時間を短縮することが可能であり、また、限られた時間内で検査を効率的に行うことができる。
【００３８】
さらに、スイッチS2は、遠卓の操作状態に拘らず、切り替え可能であり、遠卓側のオペレータが透視・撮影を行い、近卓側のオペレータが画像の編集を行うことも可能である。例えば、遠卓にて透視・撮影を行い、モニタ20に表示されたＸ線画像を確認しながら被検者の検査をしている最中に、スイッチS2を切り替えてモニタ30にGUIを表示させ、近卓側で画像の編集を行うことができる。
【００３９】
（実施例1-2）
実施例1-2では、近卓側のオペレータと遠卓側のオペレータが作業を並行して行うことで、作業効率の向上に効果があることを説明する。ここでは、図４に示すように、近卓側のオペレータが被検者の検査（透視・撮影）中に、遠卓側のオペレータが取得済みの画像の読影を行うケースを例に説明する。なお、図４において、左から順にスイッチS2、近卓のモニタ30、遠卓のモニタ20、スイッチS1の各状態を示している（以降の図５〜７も同じ）。また、スイッチS1,S2において、Vは映像信号、GはGUI信号を示しており、モニタ20,30の左隅には、映像信号が入力（Ｘ線画像が表示）されているときは丸囲みV、GUI信号が入力（GUIの操作画面が表示）されているときは丸囲みGと表記している。
【００４０】
実施例1-2では、近卓にて透視・撮影を行い、モニタ30に表示されたＸ線画像を確認しながら被検者の検査をしている最中に、スイッチS1を切り替えてモニタ20にGUIの操作画面を表示させ、遠卓で画像の読影を行う。読影を行うときは、GUIを操作して画像をモニタ20に表示することにより行う。その他、別の高精細モニタに表示したり、印刷しても良い。読影する画像は、検査中に撮影した画像だけでなく、過去に撮影した検査中の被検者の画像や過去に撮影した別の被検者の画像でもよい。また、読影する画像は、装置に保存されている画像の他、外部メディアから読み出した画像やサーバから受信した画像でもよい。
【００４１】
実施例1-2によれば、近卓での検査を妨げることなく、取得済みの画像を即時読影することが可能であり、例えば検査結果を短時間で得ることができる。
【００４２】
（実施例1-3）
実施例1-3では、近卓側のオペレータと遠卓側のオペレータが作業を並行して行うことで、作業効率の向上に効果があることを説明する。ここでは、図５に示すように、近卓側のオペレータが被検者の検査（透視・撮影）中に、遠卓側のオペレータがリファレンス画像の作成を行うケースを例に説明する。
【００４３】
実施例1-3では、近卓にて透視・撮影を行い、モニタ30に表示されたＸ線画像を確認しながら被検者の検査をしている最中に、スイッチS1を切り替えてモニタ20にGUIの操作画面を表示させ、遠卓でリファレンス画像の作成を行う。このリファレンス画像は、実施中の検査や次以降の検査に利用することが考えられる。リファレンス画像を作成するときは、GUIを操作して画像をモニタ20に表示して有用な画像を選択することにより行う。リファレンス画像は、装置に保存されている画像の他、外部メディアから読み出した画像や他のモダリティから受信した画像でもよい。また、リファレンス画像を複数選択して、リファレンス画像群（以下、リファレンスシリーズと呼ぶ）を作成してもよい。
【００４４】
実施例1-3によれば、近卓での検査を妨げることなく、例えば、次の検査の事前準備として、リファレンス画像の作成を効率的に行うことができる。また、リファレンス画像を解析することで事前診断を行うことも可能である。例えば、近卓にてアンギオ検査などの検査中に、遠卓でリファレンス画像（例えばCT画像）に対し画像解析といった画像処理を行うことで、次の被検者の事前診断が可能である。
【００４５】
（実施例2-1）
実施例2-1では、近卓側のオペレータと遠卓側のオペレータが作業を連携して行うことで、作業効率の向上に効果があることを説明する。ここでは、図６に示すように、近卓側のオペレータが被検者の検査（透視・撮影）中、遠卓側のオペレータにリファレンス画像を要求し、遠卓側のオペレータが要求されたリファレンス画像の作成を行い、近卓側のオペレータに提供するケースを例に説明する。
【００４６】
リファレンス画像（リファレンスシリーズ）の作成は、実施例1-3で説明したように、遠卓側のオペレータがGUIを操作して行う。そして、近卓側のオペレータがリファレンス画像を参照するときは、スイッチS2を切り替えて、モニタ20に表示したリファレンス画像をモニタ30に表示させることにより行う。また、近卓側のオペレータがリファレンス画像を要求していることを遠卓側のオペレータに通知するためのリファレンス画像要求スイッチを近卓に設けてもよい。例えば、リファレンス画像要求スイッチが押されることで、スイッチS1が強制的に切り替わり、モニタ20にGUIの操作画面が表示されるようにしてもよい。
【００４７】
実施例2-1によれば、近卓での検査中、要求に応じたリファレンス画像を遠卓で作成することができ、かつ、このリファレンス画像を近卓のモニタに表示させることができる。例えば、近卓側のオペレータが、アンギオ検査、注腸検査、内視鏡検査などの検査をしている最中に、遠卓側のオペレータと連携することにより、リファレンス画像の提供を迅速かつ容易に受けることができる。そして、近卓側のオペレータがリファレンス画像を参照しながら検査を進めることで、検査の質を向上させることができる。
【００４８】
特に、実施例2-1において、他のモダリティの検査において取得した画像をリファレンス画像として表示させることで、モダリティの枠を越えた検査が可能となる。この場合、リファレンス画像を作成するときは、DVDに保存した他のモダリティの画像や、他のモダリティから受信した画像を利用すればよい。例えば、CT検査後、すぐにアンギオ検査を開始し、このアンギオ検査中にCT画像に対して画像処理を行い、このCT画像をリファレンス画像として表示させることも可能である。
【００４９】
（実施例2-2）
実施例1-1では、スイッチS1とスイッチS2とを独立制御することで、近卓側のオペレータと遠卓側のオペレータとが透視・撮影と画像の編集とを並行して行う例について説明しているが、スイッチS1とスイッチS2とを連動させて、従来と同様、近卓と遠卓とを連動させることができる。例えば、図７に示すように、近卓側のオペレータが被検者の検査（透視・撮影）を終了した後、続けて取得した画像の編集を行うことができる。
【００５０】
実施例2-2では、近卓での検査終了後、スイッチS2を切り替えてモニタ30にGUIの操作画面を表示させ、このGUIを操作して画像の編集を行う。
【００５１】
実施例2-2によれば、近卓での検査終了後、オペレータが移動することなく、近卓で画像の編集を続けて行うことができ、近卓側のオペレータが検査から検査終了後の画像の編集まで一連して行うことが可能である。
【００５２】
（変形例）
実施例に係る装置では、スイッチS1,S2により映像信号又はGUI信号の一方を選択してモニタ20,30に入力する構成としたが、映像信号とGUI信号の両方を選択してモニタ20,30に入力する構成としてもよい。例えば、表示処理部DPにてＸ線画像とGUIの操作画面とを合成処理し２画面をモニタに並べて表示することで、Ｘ線画像とリファレンス画像とを対比しながら検査を進めることが可能となり、検査の質をより一層向上させることができる。このような画像の合成処理は、ピクチャインピクチャや、ピクチャオンピクチャと呼ばれる手法を利用することが考えられる。また、画面を３分割以上して複数のリファレンス画像をモニタに表示させてもよい。表示処理部DP及びスイッチS1,S2は、ハードウェアで実現する他、ソフトウェアで実現してもよい。
【００５３】
以上説明した、本発明の実施例は単なる一例であり、本発明は上記実施形態に限定されるものではなく、本発明の要旨を逸脱しない範囲内において種々の変更が可能である。例えば、遠隔操作卓又は近接操作卓に備えるモニタの数を複数としてもよい。
【００５４】
本発明の装置は、第一信号選択手段（スイッチS1）を有することで、近卓側のオペレータと遠卓側のオペレータとが作業を並行して行うことが可能であり、作業時間の短縮や作業効率の向上が期待できる。また、本発明の装置は、さらに第二入力信号選択手段（スイッチS2）を有することで、近卓側のオペレータと遠卓側のオペレータとが作業を連携して行うことが可能であり、作業効率の向上や検査の質の向上が期待できる。
【産業上の利用可能性】
【００５５】
本発明のＸ線画像診断装置は、遠隔操作卓と近接操作卓とを有するＸ線画像診断装置に好適に利用可能である。
【図面の簡単な説明】
【００５６】
【図１】本発明のＸ線画像診断装置の構成例を示す図である。
【図２】本発明のＸ線画像診断装置の機能ブロック図である。
【図３】実施例1-1を説明する図である。
【図４】実施例1-2を説明する図である。
【図５】実施例1-3を説明する図である。
【図６】実施例2-1を説明する図である。
【図７】実施例2-2を説明する図である。
【符号の説明】
【００５７】
1  透視撮影台
10  架台    10t  天板    11  Ｘ線発生装置    12  Ｘ線検出装置
2  遠隔操作卓
20  モニタ    21  入力装置
3  近接操作卓
30  モニタ    31  入力装置
4  Ｘ線高電圧装置
CU  制御ユニット
C10  架台制御部    C11  Ｘ線発生装置制御部    C12  Ｘ線検出装置制御部
DP  表示処理部
S1  スイッチ（第一信号選択手段）    S2  スイッチ（第二信号選択手段）
【図１】
2008307130.tif 000003
【図２】
2008307130.tif 000004
【図３】
2008307130.tif 000005
【図４】
2008307130.tif 000006
【図５】
2008307130.tif 000007
【図６】
2008307130.tif 000008
【図７】
2008307130.tif 000009